【手続補正書】
【提出日】平成18年5月19日(2006.5.19)
【手続補正１】
【補正対象書類名】明細書
【補正対象項目名】発明の名称
【補正方法】変更
【補正の内容】
【発明の名称】連絡先データ表示装置、連絡先データ表示方法、及び、連絡先データ表示制御プログラム
【手続補正２】
【補正対象書類名】明細書
【補正対象項目名】特許請求の範囲
【補正方法】変更
【補正の内容】
【特許請求の範囲】
【請求項１】
連絡先データを記憶したアドレス帳記憶手段と、
このアドレス帳記憶手段に記憶された連絡先データを表示する表示手段と、
この表示手段に連絡先データが表示された状態で、この連絡先データを構成する文字の書式を変更する第１の変更手段と、
この第１の変更手段によって変更された書式で前記連絡先データを表示するよう制御する第１の表示制御手段と、
前記第１の変更手段によって変更された書式を特定する情報を、前記表示されている連絡先データと対応付けて記憶させる第１の記憶制御手段と、
前記第１の記憶制御手段による記憶制御を行った後に前記表示手段に前記連絡先データを表示するときは、前記第１の記憶制御手段によってこの連絡先データに対応付けて記憶された書式を特定する情報に基づいて、前記連絡先データを表示するよう制御する第２の表示制御手段と
を備えたことを特徴とする連絡先データ表示装置。
【請求項２】
前記アドレス帳記憶手段は連絡先データを複数記憶するとともに、この複数記憶された連絡先データより前記表示手段に表示すべき連絡先データを選択する選択手段を更に備え、
前記第１の記憶制御手段は、この選択手段によって選択された連絡先データに対応付けて、前記変更手段によって変更された書式を特定する情報を記憶させることを特徴とする請求項１に記載の連絡先データ表示装置。
【請求項３】
前記アドレス帳記憶手段に記憶された複数の連絡先データを、前記表示手段に表示するよう制御する第３の表示制御手段を更に備え、
この第３の表示手段によって表示されているときの文字の書式を変更する第２の変更手段と、
この第２の変更手段によって変更された書式で前記複数の連絡先データを表示するよう制御する第４の表示制御手段と、
前記第２の変更手段によって変更された書式を特定する情報を、前記複数の連絡先データの表示を指示する情報と対応付けて記憶させる第２の記憶制御手段と、
前記第２の記憶制御手段による記憶制御を行った後に前記第３の表示制御手段により前記複数の連絡先データを表示させるときは、前記第２の記憶制御手段によって、前記複数の連絡先データの表示を指示する情報に対応付けて記憶された書式を特定する情報に基づいて、表示するよう制御する第５の表示制御手段と
を備えたことを特徴とする請求項２に記載の連絡先データ表示装置。
【請求項４】
前記書式は連絡先データを構成する文字のフォント及びサイズの少なくとも何れかであることを特徴とする請求項１乃至３の何れかに記載の連絡先データ表示装置。
【請求項５】
予めメモリに記憶されている連絡先データを表示させる表示ステップと、
この表示ステップにて連絡先データが表示された状態で、この連絡先データを構成する文字の書式を変更する変更ステップと、
この変更ステップにて変更された書式で前記連絡先データを表示するよう制御する第１の表示制御ステップと、
前記変更ステップにて変更された書式を特定する情報を、前記表示されている連絡先データと対応付けて記憶させる記憶制御ステップと、
前記第記憶制御ステップによる記憶制御を行った後に前記表示ステップにて前記連絡先データを表示するときは、前記記憶制御ステップにてこの連絡先データに対応付けて記憶された書式を特定する情報に基づいて、前記連絡先データを表示するよう制御する第２の表示制御ステップと
を含むことを特徴とする連絡先データ表示方法。
【請求項６】
コンピュータを、
予めメモリに記憶されている連絡先データを表示させる表示手段、
この表示手段によって連絡先データが表示された状態で、この連絡先データを構成する文字の書式を変更する変更手段、
この変更手段によって変更された書式で前記連絡先データを表示するよう制御する第１の表示制御手段、
前記変更手段によって変更された書式を特定する情報を、前記表示されている連絡先データと対応付けて記憶させる記憶制御手段、
前記第記憶制御手段によって記憶制御を行った後に前記表示手段によって前記連絡先データを表示するときは、前記記憶制御手段によってこの連絡先データに対応付けて記憶された書式を特定する情報に基づいて、前記連絡先データを表示するよう制御する第２の表示制御手段
として機能させることを特徴とする連絡先データ表示制御プログラム。
【手続補正３】
【補正対象書類名】明細書
【補正対象項目名】０００１
【補正方法】変更
【補正の内容】
【０００１】
【発明の属する技術分野】
本発明は、連絡先データ表示装置、連絡先データ表示方法、及び、連絡先データ表示制御プログラムに関する。
【手続補正４】
【補正対象書類名】明細書
【補正対象項目名】０００６
【補正方法】変更
【補正の内容】
【０００６】
本発明は、このような従来の課題に鑑みてなされたものであり、煩雑な操作を伴うことなく、当該ユーザにとって適切な表示状態で連絡先データを表示できるようにした連絡先データ表示装置、連絡先データ表示方法、及び、連絡先データ表示制御プログラムを提供することを目的とするものである。
【手続補正５】
【補正対象書類名】明細書
【補正対象項目名】０００７
【補正方法】変更
【補正の内容】
【０００７】
【課題を解決するための手段】
前記課題を解決するために請求項１記載の発明に係る連絡先データ表示装置にあっては、連絡先データを記憶したアドレス帳記憶手段と、このアドレス帳記憶手段に記憶された連絡先データを表示する表示手段と、この表示手段に連絡先データが表示された状態で、この連絡先データを構成する文字の書式を変更する第１の変更手段と、この第１の変更手段によって変更された書式で前記連絡先データを表示するよう制御する第１の表示制御手段と、前記第１の変更手段によって変更された書式を特定する情報を、前記表示されている連絡先データと対応付けて記憶させる第１の記憶制御手段と、前記第１の記憶制御手段による記憶制御を行った後に前記表示手段に前記連絡先データを表示するときは、前記第１の記憶制御手段によってこの連絡先データに対応付けて記憶された書式を特定する情報に基づいて、前記連絡先データを表示するよう制御する第２の表示制御手段とを備えている。
【手続補正６】
【補正対象書類名】明細書
【補正対象項目名】０００８
【補正方法】変更
【補正の内容】
【０００８】
したがって、表示手段に連絡先データを表示し、この表示手段に表示された連絡先データを構成する文字の書式を第１の変更手段によって変更すると、第１の表示制御手段により変更された書式で前記連絡先データを表示し、また、第１の記憶制御手段により、変更された書式と表示された連絡先データとが対応付けて記憶される。そして、以降、この連絡先データを表示させる際には、第２の表示制御手段によって当該連絡先データと対応付けて記憶されている書式に従って当該連絡先データが表示される。その結果、煩雑な操作を伴うことなく、当該ユーザにとって適切な表示状態で連絡先データを容易に表示できるようになる。
【手続補正７】
【補正対象書類名】明細書
【補正対象項目名】０００９
【補正方法】変更
【補正の内容】
【０００９】
また、請求項２記載の発明に係る連絡先データ表示装置にあっては、前記アドレス帳記憶手段は連絡先データを複数記憶するとともに、この複数記憶された連絡先データより前記表示手段に表示すべき連絡先データを選択する選択手段を更に備え、前記第１の記憶制御手段は、この選択手段によって選択された連絡先データに対応付けて、前記変更手段によって変更された書式を特定する情報を記憶させる。したがって、複数の連絡先データのそれぞれについて、煩雑な操作を伴うことなく、当該ユーザにとって適切な表示状態で連絡先データを容易に表示できるようになる。
【手続補正８】
【補正対象書類名】明細書
【補正対象項目名】００１０
【補正方法】変更
【補正の内容】
【００１０】
また、請求項３記載の発明に係る連絡先データ表示装置にあっては、前記アドレス帳記憶手段に記憶された複数の連絡先データを、前記表示手段に表示するよう制御する第３の表示制御手段を更に備え、この第３の表示手段によって表示されているときの文字の書式を変更する第２の変更手段と、この第２の変更手段によって変更された書式で前記複数の連絡先データを表示するよう制御する第４の表示制御手段と、前記第２の変更手段によって変更された書式を特定する情報を、前記複数の連絡先データの表示を指示する情報と対応付けて記憶させる第２の記憶制御手段と、前記第２の記憶制御手段による記憶制御を行った後に前記第３の表示制御手段により前記複数の連絡先データを表示させるときは、前記第２の記憶制御手段によって、前記複数の連絡先データの表示を指示する情報に対応付けて記憶された書式を特定する情報に基づいて、表示するよう制御する第５の表示制御手段とを備える。したがって、第３の表示制御手段により複数の連絡先データを表示し、この表示状態で、第２の変更手段により文字の書式を変更すると、この第２変更手段によって変更された書式と、複数の連絡先データの表示を指示する情報とが対応付けて記憶される。そして、以降、複数の連絡先データを表示させる際には、第４の表示制御手段によって、複数の連絡先データの表示を指示する情報と対応付けて記憶されている書式に従って複数の連絡先データが表示される。その結果、連絡先データを複数表示させる場合であっても、煩雑な操作を伴うことなく、当該ユーザにとって適切な大きさの文字で複数の連絡先データを容易に表示できるようになる。
【手続補正９】
【補正対象書類名】明細書
【補正対象項目名】００１１
【補正方法】変更
【補正の内容】
【００１１】
また、請求項４記載の発明に係る連絡先データ表示装置にあっては、前記書式は連絡先データを構成する文字のフォント及びサイズの少なくとも何れかである。したがって、煩雑な操作を伴うことなく、当該ユーザが好みのフォントやサイズで連絡先データを容易に表示できるようになる。
【手続補正１０】
【補正対象書類名】明細書
【補正対象項目名】００１２
【補正方法】変更
【補正の内容】
【００１２】
また、請求項５記載の発明に係る連絡先データ表示方法にあっては、予めメモリに記憶されている連絡先データを表示させる表示ステップと、この表示ステップにて連絡先データが表示された状態で、この連絡先データを構成する文字の書式を変更する変更ステップと、  この変更ステップにて変更された書式で前記連絡先データを表示するよう制御する第１の表示制御ステップと、前記変更ステップにて変更された書式を特定する情報を、前記表示されている連絡先データと対応付けて記憶させる記憶制御ステップと、前記第記憶制御ステップによる記憶制御を行った後に前記表示ステップにて前記連絡先データを表示するときは、前記記憶制御ステップにてこの連絡先データに対応付けて記憶された書式を特定する情報に基づいて、前記連絡先データを表示するよう制御する第２の表示制御ステップとを含む。したがって、記載したステップに従って処理を実行することにより、請求項１記載の発明と同様の作用効果を奏する。
【手続補正１１】
【補正対象書類名】明細書
【補正対象項目名】００１３
【補正方法】変更
【補正の内容】
【００１３】
また、請求項６記載の発明に係る連絡先データ表示制御プログラムにあっては、コンピュータを、予めメモリに記憶されている連絡先データを表示させる表示手段、この表示手段によって連絡先データが表示された状態で、この連絡先データを構成する文字の書式を変更する変更手段、この変更手段によって変更された書式で前記連絡先データを表示するよう制御する第１の表示制御手段、前記変更手段によって変更された書式を特定する情報を、前記表示されている連絡先データと対応付けて記憶させる記憶制御手段、前記第記憶制御手段によって記憶制御を行った後に前記表示手段によって前記連絡先データを表示するときは、前記記憶制御手段によってこの連絡先データに対応付けて記憶された書式を特定する情報に基づいて、前記連絡先データを表示するよう制御する第２の表示制御手段として機能させる。したがって、前記コンピュータがこのプログラムに従って処理を実行することにより、請求項１記載の発明と同様の作用効果を奏する。
【手続補正１２】
【補正対象書類名】明細書
【補正対象項目名】００４４
【補正方法】変更
【補正の内容】
【００４４】
【発明の効果】
以上説明したように本発明によれば、表示手段に連絡先データを表示し、この表示手段に表示された連絡先データを構成する文字の書式を第１の変更手段によって変更すると、第１の表示制御手段により変更された書式で前記連絡先データを表示し、また、第１の記憶制御手段により、変更された書式と表示された連絡先データとが対応付けて記憶される。そして、以降、この連絡先データを表示させる際には、第２の表示制御手段によって当該連絡先データと対応付けて記憶されている書式に従って当該連絡先データが表示される。よって、煩雑な操作を伴うことなく、当該ユーザにとって適切な表示状態で連絡先データを容易に表示することが可能となる。